(57)【要約】【課題】カウンタケースの防水性を向上させる。【解決手段】カウンタケース５は、ケース本体部５１と窓部５２とを備えている。ケース本体部５１は、第１貫通孔５１３を有する。また、ケース本体部５１は、樹脂製である。窓部５２は、ケース本体部５１の第１貫通孔５１３内に配置されている。窓部５２は、透過性を有する。窓部５２とケース本体部５１とは、一体成形品である。【選択図】図４
2018191590.tif 000002
【特許請求の範囲】
【請求項１】
釣り用リールのカウンタケースであって、
第１貫通孔を有する、樹脂製のケース本体部と、
前記ケース本体部の前記第１貫通孔内に配置され、透過性を有する窓部と、
を備え、
前記窓部と前記ケース本体部とは、一体成形品である、
カウンタケース。
【請求項２】
前記ケース本体部は、第１貫通孔を画定する内壁面において、凹部を有しており、
前記窓部は、前記内壁面と対向する外周面において、前記凹部に嵌合するよう突出する凸部を有している、
請求項１に記載のカウンタケース。
【請求項３】
前記凹部は、前記内壁面の全周に亘って形成されており、
前記凸部は、前記外周面の全周に亘って形成される、
請求項２に記載のカウンタケース。
【請求項４】
底板部をさらに備え、
前記ケース本体部は、底面が開口しており、
前記底板部は、前記ケース本体部の底面を封鎖する、
請求項１から３のいずれかに記載のカウンタケース。
【請求項５】
前記ケース本体部は、ＡＢＳ樹脂製である、
請求項１から４のいずれかに記載のカウンタケース。
【請求項６】
前記窓部は、ポリメタクリル酸メチル樹脂製、又はポリカーボネート樹脂製である、
請求項１から５のいずれかに記載のカウンタケース。
【請求項７】
シール部と、スイッチ部と、をさらに備え、
前記ケース本体部は、第２貫通孔をさらに有し、
前記シール部は、可撓性を有しており、前記第２貫通孔を封鎖し、
前記スイッチ部は、前記シール部から延びて前記第２貫通孔から外側に突出し、
前記ケース本体部、前記窓部、前記シール部、及び前記スイッチ部は、一体成形品である、
請求項１から６のいずれかに記載のカウンタケース。
【請求項８】
前記シール部は、熱可塑性エラストマ製である、
請求項７に記載のカウンタケース
【請求項９】
前記スイッチ部は、ＡＢＳ樹脂製である、
請求項７又は８に記載のカウンタケース。
【発明の詳細な説明】
【技術分野】
【０００１】
本発明は、釣り用リールのカウンタケースに関するものである。
【背景技術】
【０００２】
両軸受リールなどの釣り用リールにおいて、水深などの情報を表示するためのカウンタを有しているものがある。このカウンタは、リール本体のフレームなどに取り付けられている。カウンタは、カウンタケース、及びカウンタケース内に収容される表示部などを有している（例えば、特許文献１から３参照）。
【０００３】
カウンタケースは、カウンタケース内に収容された表示部が表示する情報を釣り人が視認できるよう、透過性を有する窓部を有している。そして、釣り人は、この窓部を介して、カウンタケース内の表示部に表示された水深などの情報を確認することができる。
【先行技術文献】
【特許文献】
【０００４】
【特許文献１】特開２０１４−１８３７６３号公報
【特許文献２】特開２０１６−１３６９２９号公報
【特許文献３】実用新案登録第２５２９１２７号公報
【発明の概要】
【発明が解決しようとする課題】
【０００５】
特許文献１のカウンタケースでは、窓部をケース本体部に両面テープなどによって接着していた。しかしながら、この構成では、防水性が十分ではないという問題があった。そこで、特許文献２及び特許文献３のカウンタケースでは、ケース自体を通過性のある素材で成形し、窓部以外をカバー体で覆うようにしている。しかし、この構造ではケースの素材が限定されてしまい、耐衝撃性等を向上させることが困難だった。また。カウンタケースに設けられたスイッチ部の防水性については、特許文献１と大差なかった。本発明の課題は、耐衝撃性等の性能とともに防水性を向上させることのできるカウンタケースを提供することにある。
【課題を解決するための手段】
【０００６】
本発明のある側面に係るカウンタケースは、釣り用リールのカウンタケースである。このカウンタケースは、ケース本体部と窓部とを備えている。ケース本体部は、第１貫通孔を有する。また、ケース本体部は、樹脂製である。窓部は、ケース本体部の第１貫通孔内に配置されている。窓部は、透過性を有する。窓部とケース本体部とは、一体成形品である。
【０００７】
この構成によれば、窓部とケース本体部とが一体成形品であるため、従来の構成に比べて、防水性を向上させることができる。また、ケース本体部は透過性のある素材で成形する必要がないため、耐衝撃性等の性能を向上させることができる。
【０００８】
好ましくは、ケース本体部は、第１貫通孔を画定する内壁面において、凹部を有している。そして、窓部は、内壁面と対向する外周面において、凹部に嵌合するよう突出する凸部を有している。この構成によれば、凹部と凸部とで互いに嵌合するため、窓部とケース本体部との接合を強固にすることができる。
【０００９】
好ましくは、凹部は内壁面の全周に亘って形成されており、凸部は外周面の全周に亘って形成されている。
【００１０】
好ましくは、カウンタケースは、底板部をさらに備えている。ケース本体部の底面が開口しており、底板部はケース本体部の底面を封鎖する。
【００１１】
好ましくは、ケース本体部は、ＡＢＳ樹脂製である。
【００１２】
好ましくは、窓部は、ポリメタクリル酸メチル樹脂製、またはポリカーボネート樹脂製である。
【００１３】
好ましくは、カウンタケースは、シール部と、スイッチ部と、をさらに備えている。ケース本体部は、第２貫通孔をさらに有している。シール部は、可撓性を有しており、第２貫通孔を封鎖している。スイッチ部は、シール部から延びて第２貫通孔から外側に突出している。ケース本体部、窓部、シール部、及びスイッチ部は、一体成形品である。
【００１４】
好ましくは、シール部は、熱可塑性エラストマ製である。
【００１５】
好ましくは、スイッチ部は、ＡＢＳ樹脂製である。
【発明の効果】
【００１６】
本発明に係るカウンタケースは、耐衝撃性等の性能とともに防水性を向上させることができる。
【図面の簡単な説明】
【００１７】
【図１】両軸受リールの平面図。
【図２】リール本体のフレームの斜視図。
【図３】カウンタが取り付けられたフレームの斜視図。
【図４】カウンタの断面図。
【発明を実施するための形態】
【００１８】
以下、本発明に係るカウンタケースの実施形態について図面を参照しつつ説明する。なお、以下では、まず、カウンタケースを備えた両軸受リールから説明する。なお、以下に説明する両軸受リールにおいて、釣糸を繰り出す方向を前方とし、その反対を後方とする。また、釣竿に両軸受リールを装着した際、釣竿に向かう方向を下方、釣竿から離れる方向を上方とする。また、カウンタケースにおいて、窓部が向く方向を上方とし、その反対を下方とする。
【００１９】
図１に示すように、両軸受リール１００は、リール本体２、スプール３、カウンタ４、及びハンドル１０などを備えている。また、両軸受リール１００は、リール本体２内に、ハンドル１０の回転をスプール３に伝達するための回転伝達機構（図示省略）を備えている。両軸受リール１００は、前方（図１の上側）に向かって釣糸を繰り出す。
【００２０】
［リール本体］
リール本体２は、第１リール本体部２１と第２リール本体部２２とを備えている。第１リール本体部２１と第２リール本体部２２とは、軸方向に互いに間隔をあけて配置されている。第１リール本体部２１と第２リール本体部２２とは、複数の連結部２３（図２参照）を介して互いに連結されている。
【００２１】
第１リール本体部２１は、第１側板２１ａ及び第１カバー２１ｂを有している。第１リール本体部２１は、内部に収容空間を有している。この収容空間内に、回転伝達機構（図示省略）などが収容されている。第２リール本体部２２は、第２側板２２ａ及び第２カバー２２ｂを有している。第１側板２１ａと第２側板２２ａとは、複数の連結部２３（図２参照）を介して、互いに連結されている。
【００２２】
図２に示すように、リール本体２のフレーム２０は、第１側板２１ａと第２側板２２ａと複数の連結部２３とによって構成されている。すなわち、第１側板２１ａ、第２側板２２ａ、及び連結部２３は、１つの部材によって形成されている。また、フレーム２０は、装着部２４をさらに有している。装着部２４は、釣竿に装着される部分であり、第１側板２１ａと第２側板２２ａとの両方に連結されている。また、装着部２４は、前方及び後方に延びている。
【００２３】
連結部２３は、第１連結部２３ａと第２連結部２３ｂとを有する、第１連結部２３ａは、スプール３の前方に配置されている。第１連結部２３ａは、第１側板２１ａの前側上部と、第２側板２２ａの前側上部とを連結している。第２連結部２３ｂは、第１側板２１ａの後側中央部と、第２側板２２ａの後側中央部とを連結している。
【００２４】
第１連結部２３ａは、上方を向く取付面２３１を有している。この取付面２３１に、カウンタ４が取り付けられる。取付面２３１は、実質的に平坦面である。
【００２５】
［スプール］
図１に示すように、スプール３は、第１リール本体部２１と第２リール本体部２２との間に配置されている。詳細には、スプール３は、略円筒状であって軸方向に延びている。スプール３は、リール本体２に対して回転可能である。スプール３は、スプール軸（図示省略）を介してリール本体２に回転可能に支持されている。
【００２６】
［カウンタ］
カウンタ４は、リール本体２に取り付けられている。詳細には、図３に示すように、カウンタ４は、リール本体２のフレーム２０に取り付けられている。なお、より詳細には、カウンタ４は、フレーム２０の第１連結部２３ａに取り付けられている。
【００２７】
図３及び図４に示すように、カウンタ４は、カウンタケース５と、カウンタケース５内に収容される表示部１０１及び制御基板１０２などを有している。表示部１０１は、例えば、液晶ディスプレイなどによって構成され、水深などの情報を表示する。
【００２８】
カウンタケース５は、ケース本体部５１、窓部５２、底板部５３、シール部５４、及びスイッチ部５５を備えている。このうち、ケース本体部５１、窓部５２、シール部５４、及びスイッチ部５５は、一体成形品である。カウンタケース５は、実質的に直方体状である。
【００２９】
ケース本体部５１は、天板５１１、及び天板５１１の外周縁から下方に延びる側壁５１２を有している。また、ケース本体部５１は、底面が開口している。ケース本体部５１は、樹脂製である。詳細には、ケース本体部５１は、ＡＢＳ樹脂（Acrylonirile Butadiene Styrene共重合合成樹脂）製である。ケース本体部５１は、透過性を有していないことが好ましい。具体的には、ケース本体部５１は、カウンタケース５内の表示部１０１や制御基板１０２などの部品が釣り人から視認できないように構成されていることが好ましい。
【００３０】
ケース本体部５１は、天板５１１に形成された第１貫通孔５１３を有している。第１貫通孔５１３は、天板５１１の中央部に形成されている。第１貫通孔５１３は、例えば、平面視が矩形状である。第１貫通孔５１３の大きさは、表示部１０１の大きさと実質的に等しい。第１貫通孔５１３は、カウンタケース５の内部空間と外部とを連通する。第１貫通孔５１３は、表示部１０１の上方に配置されている。この第１貫通孔５１３は、多色成形における支え部の機能を有する。
【００３１】
この第１貫通孔５１３を画定する内壁面に凹部５１４が形成されている。この凹部５１４は、内壁面の全周に亘って形成されている。すなわち、凹部５１４は、第１貫通孔５１３を囲むように環状に形成されている。凹部５１４は、窓部５２に向かって開口している。
【００３２】
ケース本体部５１は、第２貫通孔５１５をさらに有している。第２貫通孔５１５は、例えば、第１貫通孔５１３の側方に配置されている。第２貫通孔５１５は、第１貫通孔５１３よりも小さい。第２貫通孔５１５は、平面視において、円形状である。
【００３３】
窓部５２は、ケース本体部５１の第１貫通孔５１３内に配置されている。窓部５２は、透過性を有している。このため、釣り人は、窓部５２を介して、カウンタケース５内の表示部１０１に表示された情報を視認することができる。例えば、窓部５２は、ポリメタクリル酸メチル樹脂製とすることができる。
【００３４】
窓部５２は、実質的に板状に形成されている。窓部５２の外周面は、第１貫通孔５１３を画定する内壁面と当接している。そして、窓部５２は、その外周面において、側方に突出する凸部５２１を有している。この凸部５２１は、凹部５１４に嵌合するように構成されている。凸部５２１は、窓部５２の外周面の全周に亘って形成されている。この凸部５２１は、多色成形における引っ掛かり部の機能を有する。
【００３５】
窓部５２の上面は、ケース本体部５１の上面よりも上方に位置している。すなわち、窓部５２の上面とケース本体部５１の上面との間には段差部５２２が形成されている。
【００３６】
底板部５３は、ケース本体部５１の底面を封鎖している。具体的には、底板部５３は、ケース本体部５１の側壁５１２の端縁と当接している。なお、底板部５３とケース本体部５１とは、一体成型品ではない。底板部５３は、溶着によって、ケース本体部５１に取り付けられている。詳細には、底板部５３は、レーザ溶着によってケース本体部５１に取り付けられている。底板部５３は、例えば、ケース本体部５１に溶着可能な材料によって形成される。詳細には、底板部５３は、ＡＢＳ樹脂製である。この底板部５３に、制御基板１０２が取り付けられている。なお、表示部１０１は、制御基板１０２に取り付けられている。
【００３７】
シール部５４は、ケース本体部５１の第２貫通孔５１５を封鎖している。このシール部５４は、第２貫通孔５１５を介してカウンタケース５内に浸水することを防止する。シール部５４は、可撓性を有している。シール部５４は、例えば、熱可塑性エラストマ製である。シール部５４は、スイッチばねを兼ねている。
【００３８】
スイッチ部５５は、シール部５４から上方に延びて第２貫通孔５１５から外側に突出している。すなわち、スイッチ部５５は、ケース本体部５１の天板５１１から上方に突出している。スイッチ部５５は円柱状である。このスイッチ部５５を押圧することで、表示部１０１の表示が切り替わったりする。なお、スイッチ部５５は、ケース本体部５１と同じ材料によって形成することができる。例えば、スイッチ部５５は、ＡＢＳ樹脂製である。
【００３９】
以上のように構成されたカウンタ４は、図３に示すように、リール本体２のフレーム２０に取り付けられている。そして、図１に示すように、カウンタ４のうち窓部５２及びスイッチ部５５を除いた部分を覆うように、カバー部材２５が取り付けられている。
【００４０】
このカバー部材２５から、窓部５２が露出しているため、窓部５２を介して、表示部１０１に表示された情報を釣り人は視認できる。また、カバー部材２５からスイッチ部５５が露出しているため、釣り人はスイッチ部５５を押圧操作して、表示部１０１の表示を切り換えることなどができる。なお、スイッチ部５５は、例えば、カバー部材２５よりも上方に突出していることが好ましい。
【００４１】
［カウンタケースの製造方法］
次に、上述したように構成されたカウンタケース５の製造方法について説明する。まず、窓部５２の原材料を溶融させた状態で金型内に射出注入し、窓部５２を成形する。
【００４２】
続いて、窓部５２を金型に取り付け、その金型内にケース本体部５１、シール部５４、及びスイッチ部５５の原材料を溶融させた状態で射出注入し、ケース本体部５１、シール部５４、及びスイッチ部５５を成形する。この結果、ケース本体部５１、窓部５２、シール部５４、及びスイッチ部５５から構成される一体成形品が完成する。以上のように、いわゆる多色成形技術によって、カウンタケース５を形成する。
【００４３】
このように形成されたケース本体部５１内に表示部１０１や制御基板１０２などを収容した後、底板部５３をケース本体部５１に取り付けて、ケース本体部５１の底面を封鎖する。以上により、カウンタ４及びカウンタケース５が完成する。
【００４４】
［変形例］
以上、本発明の実施形態について説明したが、本発明はこれらに限定されるものではなく、本発明の趣旨を逸脱しない限りにおいて種々の変更が可能である。
【００４５】
変形例１
上記実施形態では、カウンタケース５は、シール部５４及びスイッチ部５５を有していたが、このシール部５４及びスイッチ部５５を有していなくてもよい。
【００４６】
変形例２
上記実施形態では、カウンタ４が取り付けられた両軸受リール１００について説明したが、このカウンタ４は、スピニングリールなど他のリールに取り付けることもできる。
【００４７】
変形例３
上記実施形態では、ケース本体部５１の凹部５１４及び窓部５２の凸部５２１は、それぞれ全周に亘って形成されているが、特にこれに限定されず、一部のみに形成されていてもよい。
【００４８】
変形例４
上記実施形態では、ケース本体部５１が凹部５１４を有しており、窓部５２が凸部５２１を有しているが、逆の構成であってもよい。すなわち、ケース本体部５１が凸部を有しており、窓部が凹部を有していてもよい。
【符号の説明】
【００４９】
５    カウンタケース
５１    ケース本体部
５１３    第１貫通孔
５１５    第２貫通孔
５２    窓部
５２１    凸部
５３    底板部
５４    シール部
５５    スイッチ部
【図１】
2018191590.tif 000003
【図２】
2018191590.tif 000004
【図３】
2018191590.tif 000005
【図４】
2018191590.tif 000006